(57)【特許請求の範囲】
【請求項１】
車体後面に形成された後方開口部を開閉するバックドアの前方に荷室が形成され、
前記荷室のフロア面よりも上方位置となる基準高さ位置において、該荷室を上下に仕切るトノカバーが略水平に配設されてなる車両のトノカバー装置において、
前記トノカバーは、前後方向に分割構成された前側分割ボードと後側分割ボードとの少なくとも２枚の分割ボードによって構成されて、該前側分割ボードと後側分割ボードとが山折れ可能に連結され、
前記荷室の左右には、前方に向かうにつれて上方に伸びるガイドレールが配設され、
前記後側分割ボードのうち前後方向中間位置よりも前側となる所定位置に形成された係合部が、前記ガイドレールに摺動自在に係合され、
前記係合部が前記ガイドレールに沿って上昇することにより、前記後側分割ボードが全体的に前記基準位置よりも高い位置となる上昇位置をとり得るようにされている、
ことを特徴とする車両のトノカバー装置。
【請求項２】
請求項１において、
前記ガイドレールの下端部が、略鉛直に立ち上がる立ち上がり部とされている、ことを特徴とする車両のトノカバー装置。
【請求項３】
請求項１において、
前記ガイドレールは、前記ガイドレールに沿って前記後側分割ボードが上昇する際に、該後側分割ボードの後端が前記基準位置よりも低い位置とならないように形成されている、ことを特徴とする車両のトノカバー装置。
【請求項４】
請求項１ないし請求項３のいずれか１項において、
前記荷室の左右側壁部分に、前記基準位置にある前記トノカバーの左右端部を下方から支承する支承部が設けられている、ことを特徴とする車両のトノカバー装置。
【請求項５】
請求項１ないし請求項４のいずれか１項において、
前記ガイドレールの上端が、前記係合部が上方へと取外し可能なように開口されている、ことを特徴とする車両のトノカバー装置。
【請求項６】
請求項１ないし請求項５のいずれか１項において、
前記後側分割ボードの前後方向長さが、前記前側分割ボードの前後方向長さの略２倍の長さを有するように設定されている、ことを特徴とする車両のトノカバー装置。
【請求項７】
請求項６において、
前記後側分割ボードが、前後方向に２枚に分割されて、前側に位置される第１後側分割ボードと後側に位置される第２後側分割ボードとによって構成され、
前記第１後側分割ボードと第２後側分割ボードとが谷折れのみ可能に連結されている、
ことを特徴とする車両のトノカバー装置。
【請求項８】
請求項７において、
前記前側分割ボードの前方に、さらに最前分割ボードが配設されて、該前側分割ボードと最前分割ボードとが谷折れ可能に連結されている、ことを特徴とする車両のトノカバー装置。
【請求項９】
請求項８において、
前記荷室の左右側壁部に、前記前側分割ボードと最前分割ボードとを下方から支承する支承部が設けられている、ことを特徴とする車両のトノカバー装置。
【請求項１０】
請求項１ないし請求項９のいずれか１項において、
前記後側分割ボードとバックドアとが連係手段によって連係されて、該バックドアが閉じているときに前記後側分割ボードが前記基準位置とされる一方、該バックドアが開いたときに該後側分割ボードが前記上昇位置となるようにされている、ことを特徴とする車両のトノカバー装置。
【請求項１１】
請求項１０において、
前記連係手段が、
前記ガイドレールの上端部付近に配設された第１ガイド部と、
前記第１ガイド部の後方に配設された第２ガイド部と、
前記各ガイド部を経由するように配設されて、前記後側分割ボードとバックドアとを連結するひも状の連結部材と、
を備えていることを特徴とする車両のトノカバー装置。
【請求項１２】
請求項１ないし請求項９のいずれか１項において、
前記後側分割ボードが、電動機構によって前記ガイドレールに沿って上下動されるように構成されている、ことを特徴とする車両のトノカバー装置。
【請求項１３】
請求項１ないし請求項１２のいずれか１項において、
前記後側分割ボードは、前記上昇位置とされたときに略水平に伸びる状態とされる、ことを特徴とする車両のトノカバー装置。
【請求項１４】
請求項１ないし請求項１３のいずれか１項において、
前記係合部が、支持部材を介して前記ガイドレールに係合され、
前記係合部が、前記支持部材に対して着脱自在に保持されている、
ことを特徴とする車両のトノカバー装置。
【発明の詳細な説明】
【技術分野】
【０００１】
本発明は車体後部に形成される荷室を上下に仕切る車両のトノカバー装置に関するものである。
【背景技術】
【０００２】
例えばワゴン車やワンボックスカー等に代表されるように、車体後面に後方開口部が形成されて、この後方開口部をバックドアによって開閉するようにした車両があり、このような車両においては、最後部シートの後方でバックドアの前方が荷室とされるのが一般的である。そして、特許文献１に示すように、荷室の底壁を構成する荷室フロア面よりも上方位置においてトノカバーを略水平に配設して、トノカバーの下方に荷室（下側荷室）を画成することも行われている。
【０００３】
上記特許文献１に記載のものでは、トノカバーを前後２枚のボードによる分割構成として、後側分割ボードとバックドアとをリンク部材によって連動させたものが開示されている。すなわち、バックドアが閉じているときはトノカバーが全体的に略水平とされた基準位置とされる一方、バックドアを開いたときには後側分割ボードがその前端部を中心にして上昇するように揺動されて、後側分割ボードの下方に形成されている下側荷室の後方側開口高さが高くなるようにしたものが開示されている。
【特許文献１】特公昭３９−１６９６１号公報
【発明の開示】
【発明が解決しようとする課題】
【０００４】
前記特許文献１に記載のものでは、バックドアを開いたときに、トノカバーの下方に形成される下側荷室の後方側開口高さが高くなるものの、後側分割ボードの前端部の高さは基準位置のままでその後端部のみが上昇されるため、下側荷室を広い面積範囲に渡って高くするという点では不十分である。特に、下側荷室を前方にまで奥深く十分に高くすることが不可能である。
【０００５】
本発明は以上のような事情を勘案してなされたもので、その目的は、トノカバーの下方に形成される下側荷室を、前方にまで奥深く十分に高くすることができるようにした車両のトノカバー装置を提供することにある。
【課題を解決するための手段】
【０００６】
前記目的を達成するため、本発明にあっては次のような解決手法を採択してある。すなわち、特許請求の範囲における請求項１に記載のように、
車体後面に形成された後方開口部を開閉するバックドアの前方に荷室が形成され、
前記荷室のフロア面よりも上方位置となる基準高さ位置において、該荷室を上下に仕切るトノカバーが略水平に配設されてなる車両のトノカバー装置において、
前記トノカバーは、前後方向に分割構成された前側分割ボードと後側分割ボードとの少なくとも２枚の分割ボードによって構成されて、該前側分割ボードと後側分割ボードとが山折れ可能に連結され、
前記荷室の左右には、前方に向かうにつれて上方に伸びるガイドレールが配設され、
前記後側分割ボードのうち前後方向中間位置よりも前側となる所定位置に形成された係合部が、前記ガイドレールに摺動自在に係合され、
前記係合部が前記ガイドレールに沿って上昇することにより、前記後側分割ボードが全体的に前記基準位置よりも高い位置となる上昇位置をとり得るようにされている、
ようにしてある。
【０００７】
上記解決手法によれば、後側分割ボードは、基準位置から全体的に大きく上昇された上昇位置をとり得るので、後側分割ボードの後端部のみを前端部を中心にして上昇させる場合に比して、下側荷室を前方側にまで十分奥深く開口させること、つまりより広い面積範囲に渡って高くすることができる。また、後側分割ボードと前側分割ボードとは山折れ可能な連結構造となっていること、および係合部の位置が後側分割ボードの前後方向中間位置よりも前側に設定されているために（後側分割ボードの重心位置よりも前側に設定ということ）、後側分割ボードの後端が下がる傾向（後側分割ボードの上端が上がる傾向）となり、これにより、後側分割ボードをガイドレールに沿って基準位置から上昇させようとする際に、
上記山折れが積極的に誘発されて、後側分割ボードと前側分割ボードとが前後方向に強く押圧しあう状態となる干渉が発生することもなく、後側分割ボードの確実かつスムーズな上昇を確保することができる。
【０００８】
上記解決手法を前提とした好ましい態様は、特許請求の範囲における請求項２以下に記載のとおりである。すなわち、
前記ガイドレールの下端部が、略鉛直に立ち上がる立ち上がり部とされている、ようにしてある（請求項２対応）。この場合、後側分割ボードを基準位置から上昇させる当初においては、後側分割ボードの前方への変位量が抑制されて、後側分割ボードが前側分割ボードを前方へ強く押圧した状態となる干渉がより十分にに防止されて、後側分割ボードをよりスムーズかつ確実に上昇させる上で好ましいものとなる。
【０００９】
前記ガイドレールは、前記ガイドレールに沿って前記後側分割ボードが上昇する際に、該後側分割ボードの後端が前記基準位置よりも低い位置とならないように形成されている、ようにしてある（請求項３対応）。この場合、後側分割ボードを基準位置から上昇させる際に、その後端が基準位置よりも低くなることがなく、後側分割ボードの下方に積載された荷物に対して後側分割ボードの後端が干渉してしまう事態を防止する上で好ましいものとなる。
【００１０】
前記荷室の左右側壁部分に、前記基準位置にある前記トノカバーの左右端部を下方から支承する支承部が設けられている、ようにしてある（請求項４対応）。この場合、トノカバーを基準位置でもって安定して保持しておくことができる。
【００１１】
前記ガイドレールの上端が、前記係合部が上方へと取外し可能なように開口されている、ようにしてある（請求項５対応）。この場合、トノカバーを取外して収納することが可能となり、しかもガイドレールの上端を開口させるだけでよいので、係合部つまりトノカバーのガイドレールへの係合と係合解除とを行うようにするための構造を極めて簡単になる。
【００１２】
前記後側分割ボードの前後方向長さが、前記前側分割ボードの前後方向長さの略２倍の長さを有するように設定されている、ようにしてある（請求項６対応）。この場合、上昇位置とされる後側分割ボードを前後方向に極力長くする上で好ましいものとなる。
【００１３】
前記後側分割ボードが、前後方向に２枚に分割されて、前側に位置される第１後側分割ボードと後側に位置される第２後側分割ボードとによって構成され、
前記第１後側分割ボードと第２後側分割ボードとが谷折れのみ可能に連結されている、
ようにしてある（請求項７対応）。この場合、上昇位置にあるときに２枚の分割ボードからなる後側分割ボードを直線状に維持しておく上で、またトノカバーを取外して収納するときに前後方向に十分短く折り畳まれた状態として、収納スペースを小さくする上で好ましいものとなる。
【００１４】
前記前側分割ボードの前方に、さらに最前分割ボードが配設されて、該前側分割ボードと最前分割ボードとが谷折れ可能に連結されている、ようにしてある（請求項８対応）。この場合、基準位置において、トノカバーの前後方向長さを十分に長くする上で好ましいものとなる。
【００１５】
前記荷室の左右側壁部に、前記前側分割ボードと最前分割ボードとを下方から支承する支承部が設けられている、ようにしてある（請求項９対応）。この場合、一部あるいは全部が常時基準位置にある分割ボードを、支承部材によって常に安定して支承させることができる。
【００１６】
前記後側分割ボードとバックドアとが連係手段によって連係されて、該バックドアが閉じているときに前記後側分割ボードが前記基準位置とされる一方、該バックドアが開いたときに該後側分割ボードが前記上昇位置となるようにされている、ようにしてある（請求項１０対応）。この場合、バックドアの開閉に応じて自動的に基準位置と上昇位置とに切り替えて、利便性向上の上で好ましいものとなる。
【００１７】
前記連係手段が、
前記ガイドレールの上端部付近に配設された第１ガイド部と、
前記第１ガイド部の後方に配設された第２ガイド部と、
前記各ガイド部を経由するように配設されて、前記後側分割ボードとバックドアとを連結するひも状の連結部材と、
を備えているようにしてある（請求項１１対応）。この場合、ひも状の連結部材を利用して、連係手段の配設に必要なスペースを最小限にする上で好ましいものとなる。
【００１８】
前記後側分割ボードが、電動機構によって前記ガイドレールに沿って上下動されるように構成されている、ようにしてある（請求項１２対応）。この場合、基準位置と上昇位置との切替えに乗員が大きな力を必要とせず、容易に行うことができる。
【００１９】
前記後側分割ボードは、前記上昇位置とされたときに略水平に伸びる状態とされる、ようにしてある（請求項１３対応）。この場合、上昇位置においても後側分割ボードが略水平とされるので、下側荷室を極力その前方側まで十分に高くする上で、また後側分割ボードを上昇位置としたまま走行する場合での見栄え向上の上で、極めて好ましいものとなる。
【００２０】
前記係合部が、支持部材を介して前記ガイドレールに係合され、
前記係合部が、前記支持部材に対して着脱自在に保持されている、
ようにしてある（請求項１４対応）。この場合、支持部材をガイドレールに保持させたまま、係合部を支持部材から取外すことによって、トノカバーをガイドレールから取外すことができる。また、連結手段や電動機構等によって後側分割ボードを上下動させる場合に、支持部材が上下動されるようにすればよいので、つまり係合部を有するトノカバーには連係手段や電動機構との直接の連結をなんら考慮する必要がないので、トノカバーの取付けや取外しの作業を簡単に行う上でも好ましいものとなる。
【発明の効果】
【００２１】
本発明によれば、トノカバーの下方に形成される下側荷室を、前方にまで奥深く十分に高くすることができる。また、トノカバーを、基準位置から上昇位置に向けて確実かつスムーズに移動させることができる。
【発明を実施するための最良の形態】
【００２２】
車両後部の状態を簡略的に示す図１において、１はル−フパネル、２は最後部のシートであり、ル−フパネル１の下方でかつシート２の後方が、荷室３とされている。この荷室３は、車体後面に形成された後方開口部４を通して外部に開口されており、この後方開口部４が、バックドア５によって開閉とされる。なお、バックドア５の開閉のための揺動支点が、符合５ａで示される。
【００２３】
シート２の直後方には、巻き取り式の仕切シート装置６が配設されている。この仕切シート装置６は、シート２の直後方でかつ上端部付近に配設されて、車幅方向に伸びる収納ケース６ａと、収納ケース６ａ内に配設されたローラ６ｂと、ローラ６ｂから外部へ引き出されたシート６ｃと、シート６ｃの先端部に設けられて、車体に着脱自在に引っ掛けられるフック等の引っ掛け部６ｄとを有する。図１は、シート６ｃが引き出されて、シート２の前方の乗員用空間と荷室３とを仕切られた状態とされ、この状態からシート６ｃをローラ６ｂに巻き取ることにより、乗員用空間と荷室３とがその上部同士で連通された状態とされる。また、シート２は、詳細な説明は略すが、少なくともそのシートバックが前方へ傾倒可能とされて、前方への傾倒状態では、荷室３が図１の状態からさらに前方へ拡大された状態とされ、この荷室３の拡大状態では、荷室３の底壁となる荷室フロア面３ａと前方へ傾倒されたシート２（のシートバック）の背面とが面一の状態でもって略水平に連なるようにされている。
【００２４】
荷室３には、トノカバー１０が配設されている。図１中実線で示す状態が、トノカバー１０の基準位置にあるときの状態を示す、この基準位置にあるトノカバー１０は、荷室フロア面３ａの上方位置、より具体的には起立位置にあるシート２（のシートバック）の上端部付近の高さ位置において、略水平に伸びている。なお、基準位置にあるトノカバー１０は、支承部材としての支持部材６上に載置されて、安定保持される。なお、支持部材６は、車体側壁部内面に突設されており（図４をも参照）、実施形態では４枚全ての分割ボード１０Ａ〜１０Ｄを支承しているが、例えば１番分割ボード１０Ａと２番分割ボード１０Ｂの２枚のみを支承するような長さとしてもよい（支承部材６の前後方向長さを極力短くする）。
【００２５】
トノカバー１０は、前後方向に４枚に分割された分割ボード１０Ａ〜１０Ｄによって構成されている（図２，図３、図５をも参照）。各分割ボードは、前方側から後方側へ順次、１番ボード１０Ａ、２番ボード１０Ｂ、３番ボード１０Ｃ、４番ボード１０Ｄとされている。分割ボード１０Ａ〜１０Ｄからなるトノカバー１０は、後述する谷折れや山折れを利用して折り畳み可能とされて、その前後方向長さ（最大長さ）が互いに略等しくされていて、車体から取外して折り畳んだときに、前後方向のスペースが最小限となるようにされている。特許請求の範囲との関係において、１番分割ボード１０Ａが最前分割ボードに相当し、２番分割ボード１０Ｂが前側分割ボードに相当し、３番分割ボード１０Ｃと４番分割ボード１０Ｄとが後側分割ボードに相当し、さらに３番分割ボード１０Ｃが後側分割ボードのうち前側に位置する第１後側分割ボードに相当し、４番分割ボード１０Ｄが後側分割ボードのうち後側に位置する第２後側分割ボードに相当する。
【００２６】
図６、図７に示すように、各分割ボード１０Ａ〜１０Ｄは、それぞれ、合成樹脂発泡体からなる本体部１１（例えば厚さ４〜８ｍｍ）と、その表面（上面と下面）を覆う合成樹脂製の可撓性のあるシートからなる表皮部１２、１３とからなる。各分割ボード１０Ａ〜１０Ｄの連結部が符合１４、１５あるいは１６で示され、この連結部１４〜１６では、上下の表皮部１２と１３のうちいずれか一方の表皮部が切断され、切断部が符合１７で示される。すなわち、１番ボード１０Ａと２番ボード１０Ｂとの連結部１７、および３番ボード１０Ｃと４番ボード１０Ｄとの連結部１７では、それぞれ、下側の表皮部１３が切断されている。また、２番ボード１０Ｂと３番ボード１０Ｃとの連結部１７では、上側の表皮部１２が切断されている。これにより、トノカバー１０は、図５二点鎖線で示すように、後方側から前方側へ順次、谷折れ（下へ凸となる折れ方）、山折れ（上に凸となる折れ方）、谷折れが可能とされている。
【００２７】
バックドア５の左右側方に位置する左右の後部ピラー７（図２〜図４参照）には、ガイドレール２０が取付けられている。このガイドレール２０は、図１、図４に示すように、直線状とされて、上方に向かうにつれて前方に位置するように傾斜設定されている。ガイドレール２０の下端は、支持部材６の近傍でかつ３番分割ボード１０Ｃの中間部よりやや後方付近に位置されている。そして、ガイドレールのうちその下端部（下端から上方へ所定長さ範囲に渡っての部分）は、略鉛直とされた立ち上がり部２０ａとされて、その傾斜度合が小さいものとされている（下端部側においては、上端部側に比して、上方に向かうにつれて前方へ位置される度合が小さいものとされている）。
【００２８】
左右一対のガイドレール２０に対して、３番分割ボード１０Ｃの左右端部が摺動自在に保持されている。すなわち、３番分割ボード１０Ｃのうち前後方向中間部よりも若干後方において、左右方向（車幅方向）に長く伸びる棒状部材４１が固定されて、この棒状部材４１の左右端部によって構成される係合部４０が、ガイドレール２０に摺動自在に係合（嵌合）されている。棒状部材４１は、例えば金属あるいは合成樹脂によって形成されて剛性に優れており、３番分割ボード１０Ｃの下面に接着やねじ止め等により一体化されて、３番分割ボード１０Ｃの補強をも兼ねている。そして、係合部４０をガイドレール２０の上方開口部を通してガイドレール２０から抜き出すことにより、トノカバー１０を全体的に車体から取外し可能となっている。なお、係合部４０は、大径のフランジ状に形成してあるが、棒状部材４１と同径のままとしてもよい（図１０、図１１の実施形態の場合と同様の断面形状とする）。
【００２９】
ガイドレール２０による案内作用によって、トノカバー１０は、図１実線で示す基準位置と、図１一点鎖線で示す上昇位置との間で姿勢変更可能とされている。この上昇位置では、後方側から２枚の分割ボードとなる３番分割ボード１０Ｄと３番分割ボード１０Ｃが略水平に伸びた状態とされ、１番分割ボード１０Ａは基準位置のままとされ、２番分割ボード１０Ｂがその前端部が基準位置の状態で、上下方向に伸びる状態とされる。このような上昇位置と基準位置との間でのトノカバー１０の途中状態での姿勢状態が、図１中破線で示される。なお、上昇途中において、４番分割ボード１０Ｄの後端が基準位置よりも低い位置とならないように、ガイドレール２０の傾斜設定等がなされている。
【００３０】
バックドア５の開閉に応じて、トノカバー１０を自動的に基準位置と上昇位置よに切替えるために、バックドア５と棒状部材４１とが、ひも状の連結部材５０によって連結されている。連結部材５０としては、可撓性を有する金属製や合成樹脂製のワイヤ等を用いることができる。連結部材５０をガイドするために、ガイドレール２０の上端部近傍でその上方延長線上において、第１ガイド部としての第１プーリ５１が車体に取付けられ、この第１プーリ５１の後方で閉状態にあるバックドア５の直近において、第２ガイド部としての第２プーリ５２が車体に取付けられている。そして、ひも状の連結部材５０は、その一端部が、ガイドレール２０内を通って棒状部材４１に固定される一方、２つのプーリ５１，５２を経由して、その他端部がバックドア５の左右端部に固定される。このような連結部材５０とプーリ５１、５２とによって、トノカバー１２０とバックドア５とを連動させる連係手段が構成される。なお、連結部材５０の棒状部材４１に対する固定は、例えばフック部材等を利用して用に着脱可能なように行われるようになっている。
【００３１】
次に、以上のような構成の作用について説明する。まず、バックドア５が閉じられた図１の状態においては、４枚の分割ボード１０Ａ〜１０Ｄからなるトノカバー１０は、基準位置において略水平に伸びた状態とされる（図３をも参照）。この基準位置では、係合部４０はガイドレール２０の下端付近に位置される。
【００３２】
バックドア５を開くと、連結部材５０を介して棒状部材４１が上方へ引張されて、３番分割ボード１０Ｃつまりトノカバー１０がガイドレール２０に沿って上昇される。基準位置からの上昇当初は、３番分割ボード１０Ｃの前方への移動量は極めて少ないものとなる。したがって、２番分割ボード１０Ｂと３番分割ボード１０Ｃとの間の連結部位１５でもって容易に山折れされることになる。これに加えて、係合部４０の前後方向位置の設定（３番分割ボード１０Ｃと４番分割ボード１０Ｄとの連結体の前後方向重心位置の設定）からして、３番分割ボード１０Ｃの前端部を常時持ち上げるような重力が作用しているため、上記山折れが極めて容易に誘発されるようになっている。このようにして、３番分割ボード１０Ｃおよびその後方にある４番分割ボード１０Ｄが、極めてスムーズかつ確実に上昇されることになる。そして、２番分割ボード１０Ｂと３番分割ボード１０Ｃとが一旦山折れされた後は、３番分割ボード１０Ｃが大きく前方へ移動されても、２番分割ボード１０Ｂ（および１番分割ボード１０Ａ）になんら邪魔されることなく、その上昇がスムーズに行われて、最終的に、図１一点鎖線で示す上昇位置となる。上昇途中において、４番分割ボード１０Ｄの後端が基準位置よりは低くならないように設定されているので、荷室３に積載されている荷物と３番分割ボード１０Ｄの後端との干渉はなんら生じないものとなる。
【００３３】
トノカバー１０が上昇位置とされたときは、３番分割ボード１０Ｃと４番分割ボード１０Ｄとはそれぞれ略水平に伸びた状態であり、２番分割ボード１０Ｂはその前端が基準位置とされて上下方向に伸びた状態となる。つまり、３番分割ボード１０Ｃと４番分割ボード１０Ｄの下方には位置する下側荷室は、その上下方向高さが極めて高く、しかも上下方向に伸びる２番分割ボード１０Ｂまでという前方の奥深い位置まで十分に高くなった状態となる。これにより、後方開口部４を通して、上昇位置にあるトノカバー１０の下方にある下側荷室への荷物の積み降ろしを極めて容易に行うことが可能となる。バックドア５を開状態から閉状態とすることにより、トノカバー１０は自重によって下方動されて、基準位置へと復帰される。
【００３４】
係合部４０を、ガイドレール２０の上方開口部から引き出すことにより、トノカバー１０を、ガイドレール２０に対しては勿論のこと、全体的に車体から取外すことができる。取外されたトノカバー１０を折り畳むことにより、前後方向スペースが最小限の状態でもって、荷室３内等に収納しておくことができる。
【００３５】
図９は、本発明の第２の実施形態を示すものである。本実施形態では、前記実施形態における棒状部材４１に相当する棒状部材４５の端部に、別途ローラ３５を回転自在に保持させて、このローラ３５を、ガイドレール２０に係合される係合部４０として機能させるようにしてある。ローラ３５のガイドレール２０内での回転によって、トノカバー１０のよりスムーズな上下動を確保する上で好ましいものとなる。このローラ３５も、ガイドレール２０の上端開口部を通してガイドレール２０から抜け出ることが可能となっている。なお、棒状部材４５を用いることなく、例えば３番分割ボード１０Ｃの左右縁部に固定されるブラケットにローラ３５を保持させる等、ローラ３５の保持構造は適宜の構造を採択し得る。なお、ひも状の連結部材５０は、例えば棒状部材４５に対して、フック部材等を介して着脱自在に固定すればよい。
【００３６】
図１０、図１１は、本発明の第３の実施形態を示すものである。本実施形態では、棒状部材４１に相当する棒状部材４７の左右端部に構成される係合部４０を、支持部材３０を介してガイドレール２０に係合させるようにしてあり、また、ガイドレール２０は直線状のものとしてある。すなわち、支持部材３０は、ブロック状の剛性に優れた本体部３０ａを有して、この本体部３０ａの車幅方向外方側の側面に、細長板状のスライド部３１が一体形成されている。このスライド部３１が、ガイドレール２０に対して摺動自在に嵌合され、この嵌合状態では、スライド部３１はガイドレール２０に対してその長手方向にのみ相対変位可能（摺動可能）とされている（相対回転はできない）。ガイドレール２０はその上端部が開口されて、スライド部３１は、ガイドレール２０に対してその上端側から嵌脱可能とされている。このような支持部材３０に対して、前記実施形態における連結部材５０の一端部が固定されている。
【００３７】
支持部材３０の本体部３０ａには、ガイド溝３２が形成されている。このガイド溝３２は、実施形態では左右方向（車幅方向）に貫通された孔形式とされているが、車幅方向外方側が閉じられた（車幅方向内方側のみが開口された）形式とすることもできる。このガイド溝３２は、略水平に伸びていて、前方が開口されている。このようなガイド溝３２は、スライド部３１に対して車幅方向内方側に位置されている。３番分割ボード１０Ｃには、棒状部材４１に相当する棒状部材４７が一体化されて、この棒状部材４７の左右端部に構成された係合部４０が、ガイド溝３２に回動可能に保持されている。
【００３８】
図１２、図１３は、本発明の第４の実施形態を示すもので、谷折れあるいは山折れ可能にするための分割ボードの連結構造の変形例を示すものである。なお、実施形態では、分割ボード１０Ｄと１０Ｃとの連結部位を示してあるが、他の連結部位も同様に構成される。すなわち、３番分割ボード１０Ｃの連結側端部となる後端部に車幅方向に交互に凹凸部を構成する一方、４番分割ボード１０Ｄの前端部にも車幅方向に交互に凹凸部を形成してある。そして、両凹凸部同士を嵌合させて、この嵌合部位を左右方向に長く伸びる連結ピン６２によって貫通させることにより、両分割ボード１０Ｃと１０Ｄとを連結する連結部６１が構成される。分割ボード１０Ｃ、１０Ｄの連結側の各端面は平坦面とされているが、折れ方向となる側の端部に円弧状の切欠部６３が形成されて、この切欠部６３が形成されている側にのみ折れるようにされている。
【００３９】
図１４は、本発明の第４の実施形態を示すもので、トノカバー１０の基準位置と上昇位置との間での姿勢変更を、電動駆動によって行うようにしたものである。より具体的には、本実施形態では、図１０、図１１に示すような支持部材３０を用いた場合に、この支持部材３０を電動駆動するものとなっている。まず、７０は、車体に固定されるフレームで、全体的に略コ字状とされて、左右一対の側方フレーム部７０ａと、左右一対の側方フレーム部７０ａの上端部同士を連結する左右方向に伸びる上方フレーム部７０ｂを有する。各側方フレーム部７０ａは車体の後部ピラー７に固定され、上方フレーム部７０ｃは車体のリアヘッダに固定される。各側方フレーム部７０ａに、ガイドレール２０が固定される。なお、図１４中、７１，７２は、フレーム７０を車体に固定するときの位置決めピンである。
【００４０】
上方フレーム部７０ｂには、ケーブルリール７５が正逆回転可能に取付けられ、このケーブルリール７５の回転駆動が、減速機構を介してモータ７６によって行われる。ケーブルリール７５には、一対のプッシュ・プル用となるケーブル７８、７９（のインナケーブル）が係合されている。各ケーブル７８、７９はフレーム７０に沿って配設されて、一方のケーブル７８は、その先端部が一方の支持部材３０に固定され、その他端部は自由端部とされている。他方のケーブル７９は、他方の支持部材３０に固定され、その他端部は自由端部とされている。
【００４１】
ケーブルリール７５が所定の一方向に回転駆動されると、ケーブル７８、７９を介して左右一対の支持部材３０がガイドレール２０に沿って上昇駆動されて、トノカバー１０が上昇位置とされる。ケーブルリール７５が他方向に回転駆動されると、ケーブル７８、７９を介して左右の支持部材３０はそれぞれガイドレール２０に沿って下降駆動されて、トノカバー１０が基準位置とされる。このようなケーブルリール７５の回転駆動（モータ７６の回転駆動）は、バックドア５の開閉に連動して自動的に行うようにしてもよく（例えばバックドア５の開検知スイッチと閉検知スイッチとを利用したケーブルリール７５の自動的な駆動となる）、あるいは乗員によりマニュアル操作される操作スイッチの操作に応じて駆動させるようにしてもよい（この場合は、バックドア５が開いたときでもトノカバー１０を基準位置とすることができ、またバックドア５が閉じたときでもトノカバー１０を上昇位置とすることができる）。なお、図８や図９の実施形態の場合は、例えば棒状部材４１あるいは４５に対して、フック部材等を介してケーブル７８あるいは７９の端部を着脱自在に固定すればよい。
【００４２】
以上実施形態について説明したが、本発明は、実施形態に限定されるものではなく、特許請求の範囲の記載された範囲において適宜の変更が可能であり、例えば次のような場合をも含むものである。トノカバー１０は、前後方向に３枚の分割構成であってもよく、この場合は、図１において、１番分割ボード１０Ａが存在しないものとすればよい。また、トノカバー１０を２枚の分割構成とすることもでき、この場合は、図１において、１番分割ボード１０Ａおよび４番分割ボード１０Ｄがそれぞれ存在しないものとすればよく、さらに、３番分割ボード１０Ｃの長さを４番分割ボード１０Ｄに相当する分だけ延長することができる。保持溝３２を係合部として３番分割ボード１０Ｃに形成する一方、係合部４０を保持部として支持部材３０側に形成してもよい。支持部材３０（の保持溝３２）と３番分割ボード１０Ｃ（の係合部４０）との係合解除方向（嵌合解除用の開口部の開口方向）は、前方、後方、上方さらには下方とすることができ、係合解除方向を開口させたままでは不都合な場合は、例えば手動によりロック可能な蓋部材によって係合解除用の開口部を施蓋しておけばよい。
【００４３】
トノカバー１０を完全に手動によって、基準位置と上昇位置との間で姿勢変更させるようにしてもよい。この場合、上昇位置となったときに、トノカバー１０が自重によって下降してしまうのを防止するためのストッパ、例えば、支持部材３０をガイドレール２０の上端部に対して係止しておくストッパを設けたり、荷室側壁部に起倒可能に設けられた支承部を起立させて、この起立位置にある支承部によって上昇位置にあるトノカバー１０を下方から支承させればよい。また、各分割ボード１０Ａ〜１０Ｄは、その前後方向長さを相違させるように設定してもよい。図１０、図１１の実施形態において、スライド部３１を、例えば小間隔をあけた２個のローラによって構成することもでき、また、ガイドレール２０が立ち上がり部２０ａを有するものであってもよい。勿論、本発明の目的は、明記されたものに限らず、実質的に好ましいあるいは利点として表現されたものを提供することをも暗黙的に含むものである。
【図面の簡単な説明】
【００４４】
【図１】本発明の一実施形態を示す車体後部の簡略側面図。
【図２】トノカバーが基準位置にあるときの状態を示す車体後部の平面図。
【図３】バックドアを除去した状態で、トノカバーが基準位置にあるときを示す斜視図。
【図４】バックドアを除去した状態で、トノカバーが上昇位置にあるときを示す斜視図。
【図５】４枚の分割構成されたトノカバーとその谷折れ、山折れを示す側面図。
【図６】谷折れされる部分の連結部位を示す要部拡大断面図。
【図７】山折れされる部分の連結部位を示す要部拡大断面図。
【図８】ガイドレールとトノカバー（３番分割ボード）との係合部位の詳細を示す要部斜視図。
【図９】本発明の第２の実施形態を示すもので、トノカバーに設けられた係合部としてのローラ部分を示す要部斜視図。
【図１０】本発明の第３の実施形態を示すもので、ガイドレールとトノカバーとの係合部を示す上方斜視図。
【図１１】図１０に示す部分の下方斜視図。
【図１２】本発明の第４の実施形態を示すもので、分割ボード同士の連結部位を示す要部側面図
【図１３】第４の実施形態を示す要部斜視図。
【図１４】本発明の第５の実施形態を示す要部斜視図。
【符号の説明】
【００４５】
３：荷室
３ａ：荷室フロア面
４：後方開口部
５：バックドア
１０：トノカバー
１０Ａ：１番分割ボード（最前分割ボード）
１０Ｂ：２番分割ボード（前側分割ボード）
１０Ｃ：３番分割ボード（後側分割ボード−第１後側分割ボード）
１０Ｄ：４番分割ボード（後側分割ボード−第２後側分割ボード）
２０：ガイドレール
２０ａ；立ち上がり部
３０：支持部材
３２：保持溝
３５：ローラ（ガイドレールへの係合部）
４０：係合部
４１：棒状部材
４５：棒状部材
４７：棒状部材
５０：連結部材（ひも状）
５１：第１プーリ（第１ガイド部）
５２：第２プーリ（第２ガイド部）
７０：フレーム
７５：ケーブルリール
７６：モータ
７８、７９：ケーブル
【図１】
0004687547.tif 000002
【図２】
0004687547.tif 000003
【図３】
0004687547.tif 000004
【図４】
0004687547.tif 000005
【図５】
0004687547.tif 000006
【図６】
0004687547.tif 000007
【図７】
0004687547.tif 000008
【図８】
0004687547.tif 000009
【図９】
0004687547.tif 000010
【図１０】
0004687547.tif 000011
【図１１】
0004687547.tif 000012
【図１２】
0004687547.tif 000013
【図１３】
0004687547.tif 000014
【図１４】
0004687547.tif 000015